(57)【要約】【課題】ロック装置を設けて基台に対してドームカバーが確実に装着できるようにすると共に、その状態を容易に確認することができるようにした監視用テレビカメラ装置を提供する。【解決手段】監視用テレビカメラ装置１のドームカバー６の接合端面１０には、係合片１１に嵌入突条１４と凹部１５ａとを設ける。対する基台２の接合端面２０には、係合片１１に係合する係合孔２１と、嵌入突条１４と嵌合凹部１５ａが嵌合する嵌合溝２４を設ける。また、嵌合溝２４の所定位置にロック装置３０の可動ロック部材３１下部に設けたロック片３３が係入する係入孔２５を設ける。可動ロック部材３１は弾性部材３２で付勢されている。そして、ドームカバー６を基台２に対して円周方向に沿って回動して装着すると、ロック片３３が嵌合凹部１５ａに嵌合し、ドームカバー６の装着方向とは逆方向への回動が阻止される。【選択図】図２
2008219316.tif 000002
【特許請求の範囲】
【請求項１】
設置面に設置される基台に監視用テレビカメラを取付けると共に、当該テレビカメラを覆うドームカバーを前記基台に対して着脱可能とした監視用テレビカメラ装置において、
前記基台に設けた可動ロック部材と、当該可動ロック部材を前記ドームカバーとの接合端面の方向へ付勢する弾性部材とからなるロック装置を設け、
前記基台と前記ドームカバーとの各接合端面を接合させて、当該ドームカバーを円周方向に回動させて装着させたときに、
前記可動ロック部材が、前記弾性部材の付勢力により前記ドームカバーの接合端面に設けた嵌合凹部に嵌合するようにしたことを特徴とする監視用テレビカメラ装置。
【請求項２】
前記ロック装置の前記可動ロック部材の側面部に設けたスライドレバーを、前記基台の側面部に現して手動操作可能にしたことを特徴とする請求項１に記載の監視用テレビカメラ装置。
【請求項３】
前記ドームカバーを前記基台に対してバヨネット方式で着脱可能としたことを特徴とする請求項１若しくは請求項２に記載の監視用テレビカメラ装置
【発明の詳細な説明】
【技術分野】
【０００１】
本発明は、ドームカバーを有する監視用テレビカメラ装置に関し、より詳しくは、該ドームカバーを前記基台に対して着脱可能とした当該テレビカメラ装置に関する。
【背景技術】
【０００２】
監視用テレビカメラ装置は、防水防塵のため、或いはカメラレンズの指向方向がわからないようにするために、透明又は半透明のドーム形に形成されたドームカバーでテレビカメラ本体を覆っている。
【０００３】
特開２００６−０７４６５７号公報には、バヨネット方式によってドームカバーを着脱可能に装着した監視用テレビカメラ装置が開示されている。当該装置は、ドームカバーの基台に対する接合端面に設けた係合片に係止凹部を形成し、基台のドームカバーに対する接合端面に設けた係合溝の奥端部に係止突部を形成した。そして、当該係止凹部と当該係止突部とをバヨネット方式により係止して、ドームカバーを基台に着脱可能に装着したものである。
【特許文献１】特開２００６−０７４６５７号公報
【発明の開示】
【発明が解決しようとする課題】
【０００４】
しかしながら、上記のようにバヨネット方式によってドームカバーを装着する場合、確実に係合片と係合溝とが係合しているかどうか解り難い。また、係合状態が不十分な場合には、ドームカバーが装着方向と逆方向に回動して脱落するおそれがある。
【０００５】
本発明は、上記課題を解決するためになされたものであって、ロック装置を設けて基台に対してドームカバーが確実に装着できるようにすると共に、その状態を容易に確認することができるようにした監視用テレビカメラ装置を提供することを目的とする。
【課題を解決するための手段】
【０００６】
請求項１に記載の監視用テレビカメラ装置は、設置面に設置される基台に監視用テレビカメラを取付けると共に、当該テレビカメラを覆うドームカバーを前記基台に対して着脱可能とした監視用テレビカメラ装置において、前記基台に設けた可動ロック部材と、当該可動ロック部材を前記ドームカバーとの接合端面の方向へ付勢する弾性部材とからなるロック装置を設け、前記基台と前記ドームカバーとの各接合端面を接合させて、当該ドームカバーを円周方向に回動させて装着させたときに、前記可動ロック部材が、前記弾性部材の付勢力により前記ドームカバーの接合端面に設けた嵌合凹部に嵌合するようにしたことを特徴とする。
【０００７】
請求項２に記載の監視用テレビカメラ装置は、請求項１に記載の当該監視用テレビカメラ装置において、前記ロック装置の前記可動ロック部材の側面部に設けたスライドレバーを、前記基台の側面部に現して手動操作可能にしたことを特徴とする。
【０００８】
請求項３に記載の監視用テレビカメラ装置は、請求項１若しくは請求項２に記載の当該監視用テレビカメラ装置において、前記ドームカバーを前記基台に対してバヨネット方式で着脱可能としたことを特徴とする。
【発明の効果】
【０００９】
請求項１に記載の監視用テレビカメラ装置によれば、ドームカバーの基台に対する接合端面に設けた嵌合凹部にロック装置の可動ロック部材が弾性部材の付勢力により嵌合することで、ドームカバーを基台へ確実に装着することができる。またロック装置により、ドームカバーが基台に対して、装着方向と逆方向に回動することを阻止することができる。
【００１０】
請求項２に記載の監視用テレビカメラ装置によれば、基台の側面部にスライドレバーを現して手動操作可能としたので、ロック装置が確実に作動しているか否かを容易に視認できるようにした。
【００１１】
請求項３に記載の監視用テレビカメラ装置によれば、ドームカバーを基台に対してバヨネット方式で着脱可能としたので、当該ドームカバーをワンタッチで基台へ装着させることができる。
【実施例１】
【００１２】
本発明の実施例について、添付した図面にしたがって説明する。図１は本実施例に係る監視用テレビカメラ装置１の斜視図である。円筒形の基台２は、天井等の設置面に設置され、その内部には、回動軸を有した基盤（図示せず）が収められており、当該基盤には一対の軸支ブラケット３が設けられている。
【００１３】
当該軸支ブラケット３間にはズーム機能を有する監視用テレビカメラ（以下「カメラ」という）４が固定されたチルト軸５が軸支されている。回動軸及びチルト軸５は、それぞれコントローラに制御されるステッピングモーター（いずれも図示せず）により駆動され、カメラ４はパン・チルト方向にそれぞれ回動する。
【００１４】
また、カメラ４は、防水防塵のため、カメラレンズの指向方向がわからないようにするため、ドームカバー６をバヨネット方式により基台２に着脱可能に装着している。当該ドームカバー６は、その基部７が円筒形に形成され、先端部８が透明若しくはスモークカラー等のドーム形に形成されている。
【００１５】
図２は、基台２とドームカバー６とが分離した状態を示した正面図である。また、図３にドームカバー６の平面図を示し、図４に基台２の底面図を示す。
【００１６】
図２及び図３に示すように、基台２の接合端面２０と接合するドームカバー６の基部７の接合端面１０には、３個の係合片１１が１２０度角間隔で突出形成されている。各係合片１１の基部には、接合端面１０と平行に係入溝１２が形成されている。各係入溝１２の切れ込み方向は同一円周方向に沿って揃えられている。係合片１１の先端部の側面には係止凹部１３が形成されている。また、各係合片１１のうち２箇所に係入溝１２と逆方向に伸びる円弧形の嵌入突条１４が形成されている。当該嵌入溝１４と係止片１１との間に凹部１５ａ，１５ｂが形成される。
【００１７】
図２及び図４に示すように、ドームカバー６の接合端面１０と接合する基台２の接合端面２０には、３個の係合孔２１が１２０度角間隔で形成されている。当該係合孔２１はドームカバー６に形成した３個の各係合片１１に対応するように形成されている。各係合孔２１には接合端面２０の下面で連続する係合溝２２が円周方向に沿って形成されている。当該係合溝２２の奥端部には係止突部２３が形成されている。当該係止突部２３はバヨネット方式で基台２にドームカバー６を装着したとき、当該ドームカバー６の係合片１１の係止凹部１３と係合する。
【００１８】
また、各係合孔２１のうち２箇所に係合溝２２と逆方向に伸びる円弧形の嵌合溝２４が連設されている。その一方の嵌合溝２４には、後述する可動ロック部材３１のロック片３３が係入する係入孔２５が設けられている。当該嵌合溝２４はドームカバー６の嵌入突条１４に対応し、それぞれ凹部１５ａ，１５ｂに対応する。
【００１９】
一方、基台２の側面部には、操作孔部２６が形成されている。当該操作孔部２６は嵌合溝２４に設けた係入孔２５と対応する位置に設けられている。
【００２０】
図５は操作孔部２６の内部構造を示した部分拡大断面図である。基台２の接合端面２０に設けられた係入孔２５の基台２の内部に形成されたロック装置ホルダ２７には、ロック装置３０が収められている。
【００２１】
ロック装置３０は、可動ロック部材３１と弾性部材３２とからなり、可動ロック部材３１は、その下部に突出形成されたロック片３３と、上部に形成されたバネ掛け突部３４と、側面部に形成されたスライドレバー３５とを有する。弾性部材３２は、可動ロック部材３１を押圧付勢するコイルバネであって、ロック装置ホルダ２７内に装着されている。
【００２２】
可動ロック部材のロック片３３は、基台２の接合端面２０の嵌合溝２４に設けられた係入孔２５に係入されている。可動ロック部材３１のスライドレバー３５は、操作孔部２６に嵌め込まれて基台２の側面に現れている。
【００２３】
本実施例に係る構成は以上に示すとおりであって、以下に動作を説明する。
図６及び図７は、本実施例に係る監視用テレビカメラ装置１のドームカバー６と基台２との接合前後のロック装置３０の動きを説明する部分拡大断面図である。ドームカバー６を基台２に装着する場合、ドームカバーの接合端面１０と基台２の接合端面２０とを対向させ、ドームカバー６の基部７の接合端面１０に設けた嵌入突条１４と、基台２の接合端面２０に設けた嵌合溝２４とを嵌合させると共に、係合片１１を係合孔２１に係合させる。このとき、係入孔２５に係入されているロック片３３は、ドームカバー６の嵌入突条１４によってコイルバネである弾性部材３２の付勢力に抗って上方に押し上げられる。
【００２４】
そして、図３に示す矢印の方向へ、ドームカバー６を基台２に対して回動すると、係合片１１の先端部が係合溝２２へ係合する。また、嵌合溝２４に沿って嵌入突条１４が移動し、嵌入突条１４の上面をロック片３３が摺動する。係合溝２２の奥端部に設けた係止突部２３が係合片１１の先端部に設けた係止凹部１３に係止されると、ドームカバー６は基台２にバヨネット方式で装着される。
【００２５】
その装着と同時に、嵌入突条１４の終端部まで摺動した可動ロック部材３１のロック片３３は、嵌合凹部１５ａに対応すると弾性部材３２により付勢され、嵌合凹部１５ａに嵌合する。このとき、ロック片３３がストッパーとなり、ドームカバー６は装着方向と逆方向への回動は阻止される。
【００２６】
以上のように、本実施例に係る監視用テレビカメラ装置１は、バヨネット方式でドームカバー６を基台２に装着した際に、ロック装置３０によりドームカバーが装着方向と逆方向に回動することを防ぐことができる。また、ドームカバー６が基台２に確実に装着されているか否かを基台２の側面に現れるスライドレバー３５の位置を目視することにより容易に確認することができる。したがって、ドームカバー６が突然落下することを防ぐことができ、安全性の向上を図ることができる。
【００２７】
また、基台２に対するドームカバー６の装着は、本実施例に示したバヨネット方式の他に、基台２の接合端面２０に係止孔を設け、ドームカバー６の接合端面１０に設けた係止爪を当該係止孔に係止する方式等がある。
【図面の簡単な説明】
【００２８】
【図１】本実施例に係る監視用テレビカメラ装置を示す斜視図である。
【図２】基台とドームカバーとが分離した状態を示す正面図である。
【図３】ドームカバーを示す平面図である。
【図４】基台を示す平面図である。
【図５】基台に設けたロック装置を示す部分拡大斜視断面図である。
【図６】基台へのドームカバーの装着前のロック装置を示す部分拡大断面図である。
【図７】基台へのドームカバーの装着後のロック装置を示す部分拡大断面図である。
【符号の説明】
【００２９】
１…監視用テレビカメラ装置、２…基台、３…軸支ブラケット、４…カメラ、５…チルト軸、６…ドームカバー、７…ドームカバー基部、８…ドームカバー先端部、
１０…ドームカバーの接合端面、１１…係止片、１２…係入溝、１３…係止凹部、１４…嵌入突条、１５ａ，１５ｂ…嵌合凹部、
２０…基台の接合端面、２１…係合孔、２２…係合溝、２３…係止突部、２４…嵌合溝、２５…係入孔、２６…操作孔部、２７…ロック装置ホルダ、
３０…ロック装置、３１…可動ロック部材、３２…弾性部材、３３…ロック片、３４…バネ掛け突部、３５…スライドレバー。
【図１】
2008219316.tif 000003
【図２】
2008219316.tif 000004
【図３】
2008219316.tif 000005
【図４】
2008219316.tif 000006
【図５】
2008219316.tif 000007
【図６】
2008219316.tif 000008
【図７】
2008219316.tif 000009